(57)【要約】【課題】一時的な容易な貨幣の預け入れを実現することができる自動現金預け払い機を提供する。【解決手段】一時預入者の顔画像と一時預入者の個人情報とを含む身分証明書情報を身分証明書から読み取る。現金自動預払機（端末装置）に備わる撮影装置から一時預入者の顔の撮影画像を取得する。身分証明書情報に含まれる顔画像と撮影画像とに基づいて一時預入者の本人確認を行う。本人確認が成功した場合に個人情報と顔画像と、現金自動預払機に備わる預入金額入金装置に投入された貨幣情報に対応する一時預入金額情報とを対応付けて記録する。【選択図】図１
2019106005.tif 000002
【特許請求の範囲】
【請求項１】
一時預入者の顔画像と前記一時預入者の個人情報とを含む身分証明書情報を身分証明書から読み取る身分証明書情報取得部と、
自機に備わる撮影装置から前記一時預入者の顔の撮影画像を取得する撮影画像取得部と、
前記身分証明書情報に含まれる顔画像と前記撮影画像とに基づいて前記一時預入者の本人確認を行う本人確認部と、
前記本人確認が成功した場合に前記個人情報と前記顔画像と、自機に備わる預入金額入金装置に投入された貨幣情報に対応する一時預入金額情報とを対応付けて記録する預入処理を行う預入処理部と、
を備える端末装置。
【請求項２】
前記預入処理部は、前記預入処理の指示を自機に備わる入力装置を介して取得した場合であって、前記本人確認が成功した場合に、前記個人情報と前記顔画像と、自機に備わる預入金額入金装置に投入された貨幣情報に対応する一時預入金額情報とを対応付けて記録する
請求項１に記載の端末装置。
【請求項３】
前記預入処理部は、前記預入処理に対応する引き出し指示を自機に備える入力装置を介して取得した場合であって、前記本人確認が成功した場合に、前記個人情報と前記顔画像とに対応する前記一時預入金額情報に対応する貨幣または貨幣情報を出力する引出処理を行う
請求項１または請求項２に記載の端末装置。
【請求項４】
前記預入処理部は、前記本人確認部により、前記預入処理に対応する前記本人確認において取得した第一の身分証明書に対応する身分証明書情報と、前記引出処理に対応する前記本人確認において取得した第二の身分証明書に対応する身分証明書情報との、対応関係の証明が成功したと判定された場合に、前記引出処理を行う
請求項３に記載の端末装置。
【請求項５】
一時預入者の顔画像と前記一時預入者の個人情報とを含む身分証明書情報を身分証明書から読み取る身分証明書情報取得部と、
自機に備わる撮影装置から前記一時預入者の顔の撮影画像を取得する撮影画像取得部と、
前記身分証明書情報に含まれる顔画像と前記撮影画像とに基づいて前記一時預入者の本人確認を行う本人確認部と、
前記本人確認が成功した場合に前記個人情報と前記顔画像と、自機に備わる預入金額入金装置に投入された貨幣情報に対応する一時預入金額情報とを対応付けて記録する預入処理を行う預入処理部と、
を備える現金自動預払機。
【請求項６】
第一の端末装置と第二の端末装置を備え、
前記第一の端末装置が、
一時預入者の顔画像と前記一時預入者の個人情報とを含む身分証明書情報を身分証明書から読み取り、
自機に備わる撮影装置から前記一時預入者の顔の撮影画像を取得し、
前記身分証明書情報に含まれる顔画像と前記撮影画像とに基づいて前記一時預入者の本人確認を行い、
前記本人確認が成功した場合に前記個人情報と前記顔画像と、自機に備わる預入金額入金装置に投入された貨幣情報に対応する一時預入金額情報とを対応付けて記録する預入処理を行い、
前記第二の端末装置が、
前記預入処理に対応する引き出し指示を自機に備える入力装置を介して取得した場合であって、自機における前記本人確認に対応する処理が成功した場合に、前記個人情報と前記顔画像とに対応する前記一時預入金額情報に対応する貨幣または貨幣情報を出力する引出処理を行う
一時預入システム。
【請求項７】
端末装置が、
一時預入者の顔画像と前記一時預入者の個人情報とを含む身分証明書情報を身分証明書から読み取り、
自機に備わる撮影装置から前記一時預入者の顔の撮影画像を取得し、
前記身分証明書情報に含まれる顔画像と前記撮影画像とに基づいて前記一時預入者の本人確認を行い、
前記本人確認が成功した場合に前記個人情報と前記顔画像と、自機に備わる預入金額入金装置に投入された貨幣情報に対応する一時預入金額情報とを対応付けて記録する預入処理を行う
一時預入方法。
【請求項８】
端末装置のコンピュータは、
一時預入者の顔画像と前記一時預入者の個人情報とを含む身分証明書情報を身分証明書から読み取る身分証明書情報取得手段、
自機に備わる撮影装置から前記一時預入者の顔の撮影画像を取得する撮影画像取得手段、
前記身分証明書情報に含まれる顔画像と前記撮影画像とに基づいて前記一時預入者の本人確認を行う本人確認手段、
前記本人確認が成功した場合に前記個人情報と前記顔画像と、自機に備わる預入金額入金装置に投入された貨幣情報に対応する一時預入金額情報とを対応付けて記録する預入処理を行う預入処理手段、
として機能させるプログラム。
【発明の詳細な説明】
【技術分野】
【０００１】
本発明は、端末装置、現金自動預払機、一時預入システム、一時預入方法、プログラムに関する。
【背景技術】
【０００２】
ユーザは現金を預け入れる場合、銀行に口座を開設し、現金自動預払機を用いてその口座に銀行を預け入れる。しかしながら海外旅行先などの旅行者等、滞在先での口座開設が難しい状況も想定される。また一時的に容易に貨幣を預けたいと要望する人が、銀行口座に対応する銀行カードを所持していない場合には、預けることが不可能となる。なお関連する技術が特許文献１に開示されている。特許文献１には発行されたカードを用いて現金の取引を行う技術が開示されている。
【先行技術文献】
【特許文献】
【０００３】
【特許文献１】特開２００９−１７６１２７号公報
【発明の概要】
【発明が解決しようとする課題】
【０００４】
上述したように一時的に容易に貨幣を預けたいと要望する人に、一時的な貨幣の預け入れを実現することが望まれている。
【０００５】
そこでこの発明は、上述の課題を解決する端末装置、現金自動預払機、一時預入システム、一時預入方法、プログラムを提供することを目的としている。
【課題を解決するための手段】
【０００６】
本発明の第１の態様によれば、端末装置は、一時預入者の顔画像と前記一時預入者の個人情報とを含む身分証明書情報を身分証明書から読み取る身分証明書情報取得部と、自機に備わる撮影装置から前記一時預入者の顔の撮影画像を取得する撮影画像取得部と、前記身分証明書情報に含まれる顔画像と前記撮影画像とに基づいて前記一時預入者の本人確認を行う本人確認部と、前記本人確認が成功した場合に前記個人情報と前記顔画像と、自機に備わる預入金額入金装置に投入された貨幣情報に対応する一時預入金額情報とを対応付けて記録する預入処理を行う預入処理部と、を備えることを特徴とする。
【０００７】
本発明の第２の態様によれば、現金自動預払機は、一時預入者の顔画像と前記一時預入者の個人情報とを含む身分証明書情報を身分証明書から読み取る身分証明書情報取得部と、自機に備わる撮影装置から前記一時預入者の顔の撮影画像を取得する撮影画像取得部と、前記身分証明書情報に含まれる顔画像と前記撮影画像とに基づいて前記一時預入者の本人確認を行う本人確認部と、前記本人確認が成功した場合に前記個人情報と前記顔画像と、自機に備わる預入金額入金装置に投入された貨幣情報に対応する一時預入金額情報とを対応付けて記録する預入処理を行う預入処理部と、を備えることを特徴とする。
【０００８】
本発明の第３の態様によれば、一時預入システムは、第一の端末装置と第二の端末装置を備え、前記第一の端末装置が、一時預入者の顔画像と前記一時預入者の個人情報とを含む身分証明書情報を身分証明書から読み取り、自機に備わる撮影装置から前記一時預入者の顔の撮影画像を取得し、前記身分証明書情報に含まれる顔画像と前記撮影画像とに基づいて前記一時預入者の本人確認を行い、前記本人確認が成功した場合に前記個人情報と前記顔画像と、自機に備わる預入金額入金装置に投入された貨幣情報に対応する一時預入金額情報とを対応付けて記録する預入処理を行い、前記第二の端末装置が、前記預入処理に対応する引き出し指示を自機に備える入力装置を介して取得した場合であって、自機における前記本人確認に対応する処理が成功した場合に、前記個人情報と前記顔画像とに対応する前記一時預入金額情報に対応する貨幣または貨幣情報を出力する引出処理を行うことを特徴とする。
【０００９】
本発明の第４の態様によれば、一時預入方法は、端末装置が、一時預入者の顔画像と前記一時預入者の個人情報とを含む身分証明書情報を身分証明書から読み取り、自機に備わる撮影装置から前記一時預入者の顔の撮影画像を取得し、前記身分証明書情報に含まれる顔画像と前記撮影画像とに基づいて前記一時預入者の本人確認を行い、前記本人確認が成功した場合に前記個人情報と前記顔画像と、自機に備わる預入金額入金装置に投入された貨幣情報に対応する一時預入金額情報とを対応付けて記録する預入処理を行うことを特徴とする。
【００１０】
本発明の第５の態様によれば、プログラムは、端末装置のコンピュータを、一時預入者の顔画像と前記一時預入者の個人情報とを含む身分証明書情報を身分証明書から読み取る身分証明書情報取得手段、自機に備わる撮影装置から前記一時預入者の顔の撮影画像を取得する撮影画像取得手段、前記身分証明書情報に含まれる顔画像と前記撮影画像とに基づいて前記一時預入者の本人確認を行う本人確認手段、前記本人確認が成功した場合に前記個人情報と前記顔画像と、自機に備わる預入金額入金装置に投入された貨幣情報に対応する一時預入金額情報とを対応付けて記録する預入処理を行う預入処理手段、として機能させることを特徴とする。
【発明の効果】
【００１１】
本発明によれば、一時的な容易な貨幣の預け入れを実現することができる。
【図面の簡単な説明】
【００１２】
【図１】本発明の一実施形態による一時預入システムの概要を示す図である。
【図２】本発明の一実施形態による現金自動預払機のインタフェースの一部を示す図である。
【図３】本発明の一実施形態による現金自動預払機の制御装置のハードウェア構成図である。
【図４】本発明の一実施形態による制御装置の機能ブロック図である。
【図５】本発明の一実施形態による一時預入処理の処理フローを示す図である。
【図６】本発明の一実施形態による出金処理の処理フローを示す図である。
【図７】本発明の一実施形態による現金自動預払機に備わる制御装置の最小構成を示す図である。
【発明を実施するための形態】
【００１３】
以下、本発明の一実施形態による現金自動預払機を備えた一時預入システムを図面を参照して説明する。
図１は同実施形態による現金自動預払機を備えた一時預入システムの概要を示す図である。
この図で示すように一時預入システム１００は、少なくとも端末装置の一例である現金自動預払機１と、専用サーバ５とを備えている。専用サーバ５には、各地に設置されている現金自動預払機１の多数が通信接続されている。現金自動預払機１は一時預入者の顔を撮影する第一カメラ５１や、一時預入者を含み情報から当該一時預入者の後方や当該一時預入者の両脇を画角内に含んで撮影を行う第二カメラ５２と、を備えてよい。
【００１４】
図２は現金自動預払機のインタフェースの一部を示す図である。
図２で示すように現金自動預払機１はメインディスプレイ１１、ＮＦＣ（Near field communication）アンテナ１２、小型ディスプレイ１３、コードリーダ１４、第三カメラ１５、貨幣投入口１６、カード投入口１７、レシート排出口１８等を備える。なお図２には図示していないが、現金自動預払機１はその他のハードウェア構成として上記した第一カメラ５１や第二カメラ５２のほか、メインディスプレイ１１の上方に設けられたサブディスプレイ、スピーカ、テンキー、などが設けられているが、説明の便宜上、それらの詳細な説明は省略する。
【００１５】
メインディスプレイ１１には操作の案内画面等が表示される。
ＮＦＣアンテナ１２はメインディスプレイ１１の下方に設けられた水平台座部９１に内蔵されている。
小型ディスプレイ１３は水平台座部９１の水平な台座面に設けられている。小型ディスプレイ１３はＩＣカード等を水平台座部９１に載置させるための案内画面を表示する。
コードリーダ１４は水平台座部９１の台座面に載置された紙媒体や携帯端末３の表示するコード情報を読み取る。コード情報はバーコードや二次元コード等であってよい。
第三カメラ１５は水平台座部９１の台座面に載置されたカード等の撮影対象を撮影する。
貨幣投入口１６は本実施形態においては紙幣が投入される投入口である。
カード投入口１７はクレジットカード、銀行カード、その他ＩＣカードを引き込むと共に、それらカードに記録された情報に基づく処理が完了したのちに当該カードを排出する。
レシート排出口１８は処理結果等を印字したレシートを排出する。
【００１６】
図３は現金自動預払機の制御装置のハードウェア構成図である。
この図が示すように制御装置１０はＣＰＵ（Central Processing Unit）１０−１、ＲＯＭ（Read Only Memory）１０−２、ＲＡＭ（Random Access Memory）１０−３、ＳＳＤ（Solid State Drive）１０−４、通信モジュール１０−５等の各ハードウェアを備えたコンピュータである。制御装置１０は、上述した各ハードウェアを制御する。
【００１７】
図４は制御装置の機能ブロック図である。
制御装置１０は、現金自動預払機１に電源が投入されると起動し、予め記憶する管理プログラムを実行する。これにより制御装置１０には、制御部１０１、身分証明書情報取得部１０２、撮影画像取得部１０３、本人確認部１０４、預入処理部１０５等の機能が備わる。
制御部１０１は、従来の現金自動預払機１の制御のほか、他の機能部の制御を行う。
身分証明書情報取得部１０２は、一時預入者の顔画像と一時預入者の個人情報とを含む身分証明書情報を身分証明書から読み取る。
【００１８】
撮影画像取得部１０３は、現金自動預払機１に備わる第一カメラ５１等の撮影装置から一時預入者の顔の撮影画像を取得する。
本人確認部１０４は、身分証明書情報に含まれる顔画像と撮影画像とに基づいて一時預入者の本人確認を行う。
預入処理部１０５は、本人確認が成功した場合に個人情報と顔画像と、現金自動預払機１に備わる預入金額入金装置に投入された貨幣情報に対応する一時預入金額情報とを対応付けて記録する預入処理を行う。ＮＦＣアンテナ１２や貨幣投入口１６は預入金額入金装置の一態様である。
預入処理部１０５は、一時預入処理に対応する引き出し指示を現金自動預払機１に備える入力装置を介して取得した場合であって、本人確認が成功した場合に、個人情報と顔画像とに対応する一時預入金額情報に対応する貨幣または貨幣情報を出力する引出処理を行う。
【００１９】
一時預入者は、一時的に貨幣を預け入れたい場合、各地のコンビニエンスストア等の商店、駅等の公共施設等に設置されている現金自動預払機１に貨幣を投入する。貨幣は紙幣や硬貨のほか、お金に換算することのできるポイント情報や暗号通貨であってもよい。現金自動預払機１はユーザの本人確認を行ったうえで、一時的に貨幣の預け入れを受け付ける。一時預入者は所定の管理元が管理する一時預入システム１００に接続された現金自動預払機１であれば、どの地点に設置されている現金自動預払機１でも、一時預入を行った貨幣の全てまたは一部を引き出すことができる。以下、一時預入システムと現金自動預払機１の処理の詳細について説明する。
【００２０】
図５は本実施形態による一時預入システムの一時預入処理の処理フローを示す図である。
次に一時預入システムの一時預入処理の処理フローについて説明する。
一時預入者を以下ユーザと呼ぶ。ユーザは自信が保持する貨幣を一時的に預け入れたい場合、一時預入システム１００に接続される現金自動預払機１を利用する。ユーザはメインディスプレイ１１を操作してメニューボタンのアイコンを表示させる。そのメニューボタンの中に、一時預入処理と出金処理の２つの操作ボタンのアイコンが存在する。ユーザはメインディスプレイ１１に表示されている複数のアイコンボタンのうち、一時預入処理のアイコンボタンにタッチする。メインディスプレイ１１はタッチセンサを備える。これにより制御部１０１は一時預入処理を開始すると判定する（ステップＳ５０１）。制御部１０１は一時預入処理を開始すると、撮影画像取得部１０３、本人確認部１０４、預入処理部１０５に一時預入処理の開始を指示する。
【００２１】
身分証明書情報取得部１０２はＮＦＣアンテナ１２、小型ディスプレイ１３、第三カメラ１５を起動して身分証明書情報取得制御を行う（ステップＳ５０２）。当該身分証明書情報取得制御において身分証明書情報取得部１０２は、小型ディスプレイ１３に身分証明書に印刷された顔画像を含む券面を表にして水平台座部９１の台座面に載置するよう指示する案内画面を表示させる。身分証明書は運転免許証、パスポートやその他の身分を証明することのできる媒体（ＩＣカード等）であってよい。身分証明書情報取得部１０２は第三カメラ１５を制御して身分証明書を撮影させる。これにより第三カメラ１５はユーザの顔を含む身分証明書画像を現金自動預払機１の制御装置１０へ送信する。身分証明書情報取得部１０２は身分証明書画像を取得する。身分証明書情報取得部１０２は身分証明書画像をＯＣＲ解析して文字情報を認識する。また身分証明書情報取得部１０２は身分証明書画像から顔画像を抽出する。顔画像の抽出は公知の顔認識処理を用いてよい。身分証明書情報取得部１０２は顔画像または顔画像に基づく顔の特徴情報と、文字情報とを含む身分証明書情報を生成する。身分証明書情報取得部１０２は身分証明書情報を本人確認部１０４と、預入処理部１０５へ出力する。
【００２２】
運転免許証、パスポート、ＩＣカードはＩＣチップに身分証明書情報を記憶しＮＦＣ機能を利用して、ＮＦＣアンテナ１２へ身分証明書情報を非接触通信するものであってよい。この場合、身分証明書情報取得部１０２はＮＦＣアンテナ１２を制御して身分証明書のＩＣチップに記録される身分証明書情報を読み取らせる。これによりＮＦＣアンテナ１２はユーザの顔を含む身分証明書情報を現金自動預払機１の制御装置１０へ送信する。身分証明書情報取得部１０２は身分証明書情報を取得する。身分証明書情報取得部１０２は身分証明書情報を本人確認部１０４と、預入処理部１０５へ出力する。
【００２３】
撮影画像取得部１０３は、身分証明書情報取得部１０２による処理と並行して、またはその処理の完了後、メインディスプレイ１１に撮影開始の案内画面を出力する。これによりメインディスプレイ１１には撮影開始の案内画面が出力される。当該案内画面は、現金自動預払機１に正対して立ち、第一カメラ５１に視線を向けるよう促す映像情報である。撮影画像取得部１０３は、当該映像情報に対応する案内音声をスピーカから出力してもよい。撮影画像取得部１０３は第一カメラ５１を制御してユーザの顔が映る撮影画像を取得する（ステップＳ５０３）。撮影画像取得部１０３は撮影画像を本人確認部１０４と、預入処理部１０５へ出力する。
【００２４】
本人確認部１０４は、身分証明書情報と撮影画像とを取得すると、それらの顔画像、顔特徴情報を用いて、現金自動預払機１の前に立つ人物が身分証明書情報の示す人物と一致するかの本人確認処理を行う（ステップＳ５０４）。当該一致の判定は従来の顔画像や顔特徴情報を用いた認証処理と同様である。本人確認部１０４は成功または不成功を示す本人確認結果を預入処理部１０５へ出力する。
【００２５】
預入処理部１０５は本人確認結果を取得する。預入処理部１０５は本人確認結果が不成功である場合には、預け入れ不可であることを示す案内画面をメインディスプレイ１１に表示し、処理を中止する。預入処理部１０５は本人確認結果が成功である場合には、預入処理を開始する。預入処理部１０５は預入処理において、メインディスプレイ１１と貨幣投入口１６に対して一時預金取得制御を行う（ステップＳ５０５）。当該一時預金取得制御において預入処理部１０５は、貨幣投入口１６の扉を閉から開に制御するよう制御する。また預入処理部１０５はメインディスプレイ１１に貨幣投入口１６に貨幣（紙幣や硬貨）を投入するよう案内する案内画面を表示する。貨幣投入口１６は貨幣が投入されたことを検知して投入された貨幣の金額をカウントして、その金額の合計を示す一時預り金の金額情報を預入処理部１０５へ出力する。貨幣投入口１６に投入された貨幣は貨幣貯蔵部に貯蔵される。
【００２６】
預入処理部１０５は他の一時預金取得制御によって一時的に預かる金額情報を取得してもよい。例えば預入処理部１０５はＮＦＣアンテナ１２を起動し、一時預金指示をＮＦＣアンテナ１２に出力する。預入処理部１０５は電子マネー情報（金額に換算できるポイント情報や暗号通貨の情報であってもよい）が記憶されているＩＣカードをＮＦＣアンテナ１２に翳すよう指示する案内画面をメインディスプレイ１１に表示する。振込ユーザはＩＣカードをＮＦＣアンテナ１２に翳す。ＮＦＣアンテナ１２は入金指示に含まれる一時預金の金額情報をＩＣカードから取得する。なお、預入処理部１０５は上述の何れかの一時預金取得制御を行ってもよいし、それらの一時預金取得制御を同時に行うようにして、貨幣投入口１６またはＮＦＣアンテナ１２の何れかから一時預り金の金額情報を受信して、当該一時預金取得制御を終了してよい。
【００２７】
預入処理部１０５は一時預り金の金額情報と、身分証明書情報と、顔画像またはその特徴情報とを含む一時預入情報を生成する。預入処理部１０５は一時預入情報を専用サーバ５へ送信する（ステップＳ５０６）。専用サーバ５はデータベースを備えており、当該データベースに一時預入情報を格納する（ステップＳ５０７）。つまり専用サーバ５は一時預り金の金額情報と、身分証明書情報と、顔画像またはその特徴情報とを紐づけて記憶する。
【００２８】
以上の処理によりユーザは銀行口座を開設せずとも、また口座カードを保持していない場合でも、自身が保有する貨幣を、現金自動預払機１を用いて一時的に預け入れることができる。
【００２９】
図６は本実施形態による一時預入システムの出金処理の処理フローを示す図である。
次に一時預入システムの出金処理の処理フローについて説明する。
ユーザは現金自動預払機１に一時的に預け入れた貨幣を出金したい場合、一時預入処理を行った現金自動預払機１（第一の現金自動預払機）、または一時預入システム１００に接続される他の現金自動預払機１（第二の現金自動預払機）を利用する。ユーザはメインディスプレイ１１を操作してメニューボタンのアイコンを表示させる。そのメニューボタンの中に、一時預入処理と出金処理の２つの操作ボタンのアイコンが存在する。ユーザはメインディスプレイ１１に表示されている複数のアイコンボタンのうち、出金処理のアイコンボタンにタッチする。メインディスプレイ１１はタッチセンサを備える。これにより制御部１０１は出金処理を開始すると判定する（ステップＳ６０１）。制御部１０１は出金処理を開始すると、身分証明書情報取得部１０２、撮影画像取得部１０３、本人確認部１０４、預入処理部１０５に出金処理の開始を指示する。
【００３０】
身分証明書情報取得部１０２はＮＦＣアンテナ１２、小型ディスプレイ１３、第三カメラ１５を起動して身分証明書情報取得制御を行う（ステップＳ６０２）。この身分証明書情報取得制御は一時預入処理と同様である。身分証明書情報取得部１０２は身分証明書情報を、本人確認部１０４と、預入処理部１０５へ出力する。
【００３１】
撮影画像取得部１０３は、身分証明書情報取得部１０２による処理と並行して、またはその処理の完了後、メインディスプレイ１１に撮影開始の案内画面を出力する。これによりメインディスプレイ１１には撮影開始の案内画面が出力される。当該案内画面は、現金自動預払機１に正対して立ち、第一カメラ５１に視線を向けるよう促す映像情報である。撮影画像取得部１０３は、当該映像情報に対応する案内音声をスピーカから出力してもよい。撮影画像取得部１０３は第一カメラ５１を制御してユーザの顔が映る撮影画像を取得する（ステップＳ６０３）。撮影画像取得部１０３は撮影画像を本人確認部１０４と、預入処理部１０５へ出力する。
【００３２】
本人確認部１０４は、身分証明書情報と撮影画像とを取得すると、それらの顔画像、顔特徴情報を用いて、現金自動預払機１の前に立つ人物が身分証明書情報の示す人物と一致するかの本人確認処理を行う（ステップＳ６０４）。この本人確認処理は、一時預入処理における本人確認処理と同様である。本人確認部１０４は成功または不成功を示す本人確認結果を預入処理部１０５へ出力する。
【００３３】
預入処理部１０５は本人確認結果を取得する。預入処理部１０５は本人確認結果が不成功である場合には、出金不可であることを示す案内画面をメインディスプレイ１１に表示し、処理を中止する。預入処理部１０５は本人確認結果が成功である場合には、出金処理を開始する。そして預入処理部１０５はメインディスプレイ１１とテンキーに対して出金額入力制御を行う（ステップＳ６０５）。当該出金額入力制御において預入処理部１０５はテンキーに出金額を入力するよう案内する案内画面をメインディスプレイ１１に表示する。ユーザはテンキーを用いて出金額を入力する。すると預入処理部１０５は出金額情報をテンキーから取得する。
【００３４】
預入処理部１０５は身分証明書情報とユーザの顔画像またはその特徴情報、出金額を含む出金要求を専用サーバ５へ送信する（ステップＳ６０６）。専用サーバ５は出金要求に含まれる身分証明書情報とユーザの顔画像またはその特徴情報とを含む一時預入情報を記憶しているかを判定する（ステップＳ６０７）。専用サーバ５は出金要求に含まれる身分証明書情報とユーザの顔画像またはその特徴情報を含む一時預入情報をデータベース等に記憶している場合、出金要求に含まれる出金額が一時預り金の金額情報以下かを判定する（ステップＳ６０８）。専用サーバ５は出金要求に含まれる出金額が一時預り金の金額情報以下である場合、出金可を示す出金確認結果情報を現金自動預払機１に送信する（ステップＳ６０９）。預入処理部１０５は、一時預り金の金額情報が出金額未満である場合、または出金要求に含まれる身分証明書情報とユーザの顔画像またはその特徴情報を含む一時預入情報をデータベース等に記憶していない場合、出金不可を示す出金確認結果情報を現金自動預払機１に送信する。
【００３５】
預入処理部１０５は出金確認結果情報を取得する。預入処理部１０５は出金確認結果情報が出金不可を示す場合には、出金不可であることを示す案内画面をメインディスプレイ１１に表示し、処理を中止する。預入処理部１０５は出金確認結果情報が出金可を示す場合には、出金処理を開始する（ステップＳ６０１０）。預入処理部１０５は現金自動預払機１の貨幣排出機構に対して出金額を出金するよう指示する。すると現金自動預払機１の貨幣排出機構は出金額に対応する貨幣を貨幣投入口１６から排出する（ステップＳ６１１）。
【００３６】
預入処理部１０５は出金額の貨幣を電子マネー情報に変換してユーザが保持するＩＣカードや携帯端末３等にその電子マネー情報を記録してもよい。この場合、預入処理部１０５はＮＦＣアンテナ１２を介してＮＦＣ機能を有するＩＣカードや携帯端末３に電子マネー情報を記録する。
【００３７】
以上の処理によりユーザは銀行口座を開設せずとも、また口座カードを保持していない場合でも、自身が保有する貨幣を一時的に現金自動預払機１に預けた後に、その現金自動預払機１や専用サーバ５に通信接続された他の現金自動預払機１を用いて一時的に預けた貨幣を出金することができる。
【００３８】
上述の一時預入処理においてユーザが利用する身分証明書と、出金処理においてユーザが利用する身分証明書は異なる身分証明書であってもよい。この場合、専用サーバ５は一時預入処理においてユーザが利用した第一の身分証明書に対応する第一身分証明書情報と、出金処理において当該ユーザが利用する第二の身分証明書に対応する第二身分証明書情報とを紐づけて記憶する。専用サーバ５は受信した出金要求に含まれる身分証明書情報が、紐づいてデータベースに記録される第一身分証明書情報または第二身分証明書情報の何れかであれば、出金可を示す出金確認結果情報を現金自動預払機１に送信してよい。このような処理により、預入処理と出金処理において異なる身分証明書を利用することができ、ユーザの利便性を高めることができる。第一身分証明書情報と第二身分証明書情報は、有効期限の切れていない身分証明書と、有効期限の切れた身分証明書の各身分証明書情報の関係としてもよい。第一身分証明書情報と第二身分証明書情報のそれぞれに含まれる複数の情報が完全一致していない場合でも、何れかの所定の１つまたは複数の身分を証明する情報が一致していれば、専用サーバ５は出金可を示す出金確認結果情報を現金自動預払機１に送信してよい。
【００３９】
図７は現金自動預払機に備わる制御装置の最小構成を示す図である。
この図が示すように現金自動預払機１に備わる制御装置１０は、少なくとも身分証明書情報取得部１０２、撮影画像取得部１０３、本人確認部１０４、預入処理部１０５を備えればよい。
【００４０】
上述の説明では現金自動預払機１を用いて説明しているが、現金自動預払機１は端末装置の一例であって、現金自動預払機１以外の端末装置が、上述の現金自動預払機１と同様の構成を備えて、同様の処理を行うようにしてもよい。この場合、端末装置が上述の制御装置１０を備える。
【００４１】
上述の現金自動預払機１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４３】
１・・・現金自動預払機
３・・・携帯端末
５・・・専用サーバ
５１・・・第一カメラ
５２・・・第二カメラ
１０・・・制御装置
１１・・・メインディスプレイ
１２・・・ＮＦＣアンテナ
１３・・・小型ディスプレイ
１４・・・コードリーダ
１５・・・第三カメラ
１６・・・貨幣投入口
１７・・・カード投入口
１８・・・レシート排出口
１０１・・・制御部
１０２・・・身分証明書情報取得部
１０３・・・撮影画像取得部
１０４・・・本人確認部
１０５・・・預入処理部
【図１】
2019106005.tif 000003
【図２】
2019106005.tif 000004
【図３】
2019106005.tif 000005
【図４】
2019106005.tif 000006
【図５】
2019106005.tif 000007
【図６】
2019106005.tif 000008
【図７】
2019106005.tif 000009
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
一時預入者の顔画像と前記一時預入者の個人情報とを含む身分証明書情報を身分証明書から読み取る身分証明書情報取得部と、
自機に備わる撮影装置から前記一時預入者の顔の撮影画像を取得する撮影画像取得部と、
前記身分証明書情報に含まれる顔画像と前記撮影画像とに基づいて前記一時預入者の本人確認を行う本人確認部と、
前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理部と、
を備える端末装置。
【請求項２】
前記預入処理部は、前記預入処理の指示を自機に備わる入力装置を介して取得した場合であって、前記本人確認が成功した場合に、前記個人情報と前記顔画像と、自機に備わる預入金額入金装置に投入された貨幣情報に対応する一時預入金額情報とを対応付けて記録する
請求項１に記載の端末装置。
【請求項３】
前記預入処理部は、前記預入処理に対応する引き出し指示を自機に備える入力装置を介して取得した場合であって、前記本人確認が成功した場合に、前記個人情報と前記顔画像とに対応する前記一時預入金額情報に対応する貨幣または貨幣情報を出力する引出処理を行う
請求項１または請求項２に記載の端末装置。
【請求項４】
前記預入処理部は、前記本人確認部により、前記預入処理に対応する前記本人確認において取得した第一の身分証明書に対応する身分証明書情報と、前記引出処理に対応する前記本人確認において取得した第二の身分証明書に対応する身分証明書情報との、対応関係の証明が成功したと判定された場合に、前記引出処理を行う
請求項３に記載の端末装置。
【請求項５】
一時預入者の顔画像と前記一時預入者の個人情報とを含む身分証明書情報を身分証明書から読み取る身分証明書情報取得部と、
自機に備わる撮影装置から前記一時預入者の顔の撮影画像を取得する撮影画像取得部と、
前記身分証明書情報に含まれる顔画像と前記撮影画像とに基づいて前記一時預入者の本人確認を行う本人確認部と、
前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理部と、
を備える現金自動預払機。
【請求項６】
第一の端末装置と第二の端末装置を備え、
前記第一の端末装置が、
一時預入者の顔画像と前記一時預入者の個人情報とを含む身分証明書情報を身分証明書から読み取り、
自機に備わる撮影装置から前記一時預入者の顔の撮影画像を取得し、
前記身分証明書情報に含まれる顔画像と前記撮影画像とに基づいて前記一時預入者の本人確認を行い、
前記本人確認が成功した場合に前記身分証明書情報から読み取った前記個人情報と前記顔画像と、自機に備わる預入金額入金装置に投入された貨幣情報に対応する一時預入金額情報とを対応付けてサーバ装置へ記録する預入処理を行い、
前記第二の端末装置が、
前記預入処理に対応する引き出し指示を自機に備える入力装置を介して取得した場合であって、自機における前記本人確認に対応する処理が成功した場合に、前記サーバ装置において前記個人情報と前記顔画像とに対応して記録される前記一時預入金額情報に対応する貨幣または貨幣情報を出力する引出処理を行う
一時預入システム。
【請求項７】
端末装置が、
一時預入者の顔画像と前記一時預入者の個人情報とを含む身分証明書情報を身分証明書から読み取り、
自機に備わる撮影装置から前記一時預入者の顔の撮影画像を取得し、
前記身分証明書情報に含まれる顔画像と前記撮影画像とに基づいて前記一時預入者の本人確認を行い、
前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う
一時預入方法。
【請求項８】
端末装置のコンピュータを、
一時預入者の顔画像と前記一時預入者の個人情報とを含む身分証明書情報を身分証明書から読み取る身分証明書情報取得手段、
自機に備わる撮影装置から前記一時預入者の顔の撮影画像を取得する撮影画像取得手段、
前記身分証明書情報に含まれる顔画像と前記撮影画像とに基づいて前記一時預入者の本人確認を行う本人確認手段、
前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理手段、
として機能させるプログラム。
【手続補正２】
【補正対象書類名】明細書
【補正対象項目名】０００６
【補正方法】変更
【補正の内容】
【０００６】
本発明の第１の態様によれば、端末装置は、一時預入者の顔画像と前記一時預入者の個人情報とを含む身分証明書情報を身分証明書から読み取る身分証明書情報取得部と、自機に備わる撮影装置から前記一時預入者の顔の撮影画像を取得する撮影画像取得部と、前記身分証明書情報に含まれる顔画像と前記撮影画像とに基づいて前記一時預入者の本人確認を行う本人確認部と、前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理部と、を備えることを特徴とする。
【手続補正３】
【補正対象書類名】明細書
【補正対象項目名】０００７
【補正方法】変更
【補正の内容】
【０００７】
本発明の第２の態様によれば、現金自動預払機は、一時預入者の顔画像と前記一時預入者の個人情報とを含む身分証明書情報を身分証明書から読み取る身分証明書情報取得部と、自機に備わる撮影装置から前記一時預入者の顔の撮影画像を取得する撮影画像取得部と、前記身分証明書情報に含まれる顔画像と前記撮影画像とに基づいて前記一時預入者の本人確認を行う本人確認部と、前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理部と、を備えることを特徴とする。
【手続補正４】
【補正対象書類名】明細書
【補正対象項目名】０００８
【補正方法】変更
【補正の内容】
【０００８】
本発明の第３の態様によれば、一時預入システムは、第一の端末装置と第二の端末装置を備え、前記第一の端末装置が、一時預入者の顔画像と前記一時預入者の個人情報とを含む身分証明書情報を身分証明書から読み取り、自機に備わる撮影装置から前記一時預入者の顔の撮影画像を取得し、前記身分証明書情報に含まれる顔画像と前記撮影画像とに基づいて前記一時預入者の本人確認を行い、前記本人確認が成功した場合に前記身分証明書情報から読み取った前記個人情報と前記顔画像と、自機に備わる預入金額入金装置に投入された貨幣情報に対応する一時預入金額情報とを対応付けてサーバ装置へ記録する預入処理を行い、前記第二の端末装置が、前記預入処理に対応する引き出し指示を自機に備える入力装置を介して取得した場合であって、自機における前記本人確認に対応する処理が成功した場合に、前記サーバ装置において前記個人情報と前記顔画像とに対応して記録される前記一時預入金額情報に対応する貨幣または貨幣情報を出力する引出処理を行うことを特徴とする。
【手続補正５】
【補正対象書類名】明細書
【補正対象項目名】０００９
【補正方法】変更
【補正の内容】
【０００９】
本発明の第４の態様によれば、一時預入方法は、端末装置が、一時預入者の顔画像と前記一時預入者の個人情報とを含む身分証明書情報を身分証明書から読み取り、自機に備わる撮影装置から前記一時預入者の顔の撮影画像を取得し、前記身分証明書情報に含まれる顔画像と前記撮影画像とに基づいて前記一時預入者の本人確認を行い、前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行うことを特徴とする。
【手続補正６】
【補正対象書類名】明細書
【補正対象項目名】００１０
【補正方法】変更
【補正の内容】
【００１０】
本発明の第５の態様によれば、プログラムは、端末装置のコンピュータを、一時預入者の顔画像と前記一時預入者の個人情報とを含む身分証明書情報を身分証明書から読み取る身分証明書情報取得手段、自機に備わる撮影装置から前記一時預入者の顔の撮影画像を取得する撮影画像取得手段、前記身分証明書情報に含まれる顔画像と前記撮影画像とに基づいて前記一時預入者の本人確認を行う本人確認手段、前記本人確認が成功した場合に前記身分証明書情報から読み取った前記個人情報と前記顔画像と、自機に備わる預入金額入金装置に投入された貨幣情報に対応する一時預入金額情報とを対応付けて記録する預入処理を行う預入処理手段、として機能させることを特徴とする。